(57)【要約】【課題】太陽電池パネルの上面から軒先へ流れる雨水の水勢を弱められる新たな構造の軒先カバーを提供する。【解決手段】太陽電池パネルの軒先カバー１０は、太陽電池パネル２の上面に対して略平行な状態に取り付けられる取付片１１と、該取付片１１の軒側端縁部１１ａより下方に向けて延出したカバー片１２とを備え、取付片１１には水切り溝１１ｂが形成されている。【選択図】図２
2011208384.tif 000002
【特許請求の範囲】
【請求項１】
太陽電池パネルの軒側端部に取り付けられ、該軒側端部の側端面を覆い隠す太陽電池パネルの軒先カバーにおいて、
上記太陽電池パネルの上面に対して略平行な状態に取り付けられる取付片と、該取付片の軒側端縁部より下方に向けて延出したカバー片とを備え、上記取付片に水切り溝が形成されていることを特徴とする、太陽電池パネルの軒先カバー。
【請求項２】
請求項１において、
上記水切り溝に排水孔が形成されている、太陽電池パネルの軒先カバー。
【請求項３】
請求項１または２において、
上記カバー片は軒側に膨出した湾曲板体よりなる、太陽電池パネルの軒先カバー。
【請求項４】
請求項１または２において、
上記カバー片は、上記取付片が上記太陽電池パネルに取り付けられたときに該太陽電池パネルの内方側に傾斜降下する構造となっている、太陽電池パネルの軒先カバー。
【発明の詳細な説明】
【技術分野】
【０００１】
本発明は、太陽電池パネルの軒側端部に取り付けられ、軒側端部の側端面を覆い隠すようにした、太陽電池パネルの軒先カバーの改良に関する。
【背景技術】
【０００２】
太陽電池パネルを住宅等の屋根に設置する場合、化粧用の軒先カバーを太陽電池パネルの軒側端部に取り付けることが一般的である（例えば、特許文献１参照）。このような軒先カバーによれば、太陽電池パネルの軒側端部の側端面が覆い隠されるため、軒先側の美観は損なわれない。
【先行技術文献】
【特許文献】
【０００３】
【特許文献１】特開平０７−１５３９８４号公報
【発明の概要】
【発明が解決しようとする課題】
【０００４】
ところで、太陽電池パネルからより多くの電気エネルギーを得るためには設置面積を広くとる必要がある。そのために、太陽電池パネルの軒側端部を軒先に近接させて、より大きな面積の太陽電池パネルを設置することも、一般に行われている。
【０００５】
ところが、このように太陽電池パネルが軒先近くにまで及んで設置されると、パネル面が鏡面であるためパネルの上面を流れる雨水の勢いは下流側では強くなって、パネル上面から軒先カバーを超えて流れてくる雨水が軒樋を飛び越えてしまうことがあった。
【０００６】
本発明は、このような事情を考慮して提案されたもので、その目的は、太陽電池パネルの上面から軒先へ流れる雨水の水勢を弱められる新たな構造の軒先カバーを提供することにある。
【課題を解決するための手段】
【０００７】
上記目的を達成するために、請求項１に記載の太陽電池パネルの軒先カバーは、太陽電池パネルの軒側端部に取り付けられ、該軒側端部の側端面を覆い隠す太陽電池パネルの軒先カバーにおいて、太陽電池パネルの上面に対して略平行な状態に取り付けられる取付片と、該取付片の軒側端縁部より下方に向けて延出したカバー片とを備え、取付片に水切り溝が形成されていることを特徴とする。
【０００８】
請求項２に記載の太陽電池パネルの軒先カバーは、水切り溝に排水孔が形成されている。
【０００９】
請求項３に記載の太陽電池パネルの軒先カバーは、カバー片が軒側に膨出した湾曲板体よりなる。
【００１０】
請求項４に記載の太陽電池パネルの軒先カバーは、取付片が上記太陽電池パネルに取り付けられたときに、カバー片が該太陽電池パネルの内方側に傾斜降下する構造となっている。
【発明の効果】
【００１１】
請求項１に記載の太陽電池パネルの軒先カバーによれば、取付片に水切り溝が形成されているので、太陽電池パネルの上面から流れてくる雨水を水切り溝で横方向に流しだすことができ、それによって軒側への雨水の流れの勢いを弱めることができる。
【００１２】
請求項２に記載の太陽電池パネルの軒先カバーによれば、水切り溝に排水孔が形成されているので、水切り溝に流れてきた雨水の多くを排水孔から下方へ落とすことができ、雨水の流れを分散させることができる。
【００１３】
請求項３に記載の太陽電池パネルの軒先カバーによれば、湾曲板体よりなるカバー片を軒側に膨出させているので、水切り溝によって水勢を十分に弱められなかった場合でも雨水が取付片の軒側端部より飛び出すことはなく、雨水をカバー片上を伝わせて屋根面に落下させることができる。また、カバー片が軒側に湾曲膨出した形状となっているので見映えをよくできる。
【００１４】
請求項４に記載の太陽電池パネルの軒先カバーによれば、カバー片が太陽電池パネルの内方側に傾斜降下しているので、降下段部の排水孔から落下する雨水をカバー片の裏面で受け止めることができ、そのため排水孔より落下した雨水の勢いも弱めることができる。
【図面の簡単な説明】
【００１５】
【図１】本発明の太陽電池パネルの軒先カバーおよびその取付対象である太陽電池パネルの設置例を示す斜視図である。
【図２】（ａ）は同軒先カバーの一実施形態を示す部分斜視図、（ｂ）は断面図、（ｃ）は軒先カバーの他例を示す断面図である。
【図３】（ａ）、（ｂ）は同軒先カバーの取付手順を示す斜視図である。
【図４】同軒先カバーの取付状態を示す断面図である。
【図５】（ａ）〜（ｃ）は本発明の太陽電池パネルの軒先カバーの他例を示す断面図、（ｄ）は（ｃ）に示した軒先カバーの使用状態を示す断面図である。
【発明を実施するための形態】
【００１６】
以下に、本発明の実施の形態について、添付図面を参照しながら説明する。
【００１７】
図１は、本発明の太陽電池パネルの軒先カバー（以下、軒先カバーと略す）およびその取付対象である太陽電池パネルの設置例を示す斜視図である。図２（ａ）は同軒先カバーの一実施形態を示す部分斜視図、図２（ｂ）は断面図、図２（ｃ）は軒先カバーの他例を示す断面図である。また、図３（ａ）、（ｂ）は図２（ａ）に示した軒先カバーの取付手順を示す斜視図である。図４は、同軒先カバーの取付状態を示す断面図である。
【００１８】
図１に示した太陽電池パネル２は、瓦やスレートが葺かれた屋根面１に配設される架台３を介して設置されるものである。なお、図１中の符号８は、軒先に設置される軒樋である。
【００１９】
また、太陽電池パネル２は複数のパネル体を矩形状に集合させたモジュール体よりなり、そのモジュール体単位で屋根面１に設置される。そのモジュール体の軒側端部２ａの辺縁には軒先カバー１０が取り付けられ、他の３辺には枠体４が取り付けられる。
【００２０】
この軒先カバー１０は、太陽電池パネル２の上面に対して略平行な状態に取り付けられる取付片１１と、この取付片１１の軒側端縁部１１ａより下方やや前方に延出したカバー片１２とを備えた構造とされ、図２(ａ)に示すように、取付片１１には長手方向の一端から他端にいたるまで水切り溝１１ｂが形成されている。また、この水切り溝１１ｂの底部１１ｂｂには複数の排水孔１１ｂａが開設してある。なお、図１では水切り溝１１ｂの図示を省略し、図３では水切り溝１１ｂに形成した排水孔１１ｂａの図示を省略している。
【００２１】
図４で示すように、軒先カバー１０が太陽電池パネル２の傾斜状態に合わせて設置されるから、図２（ｂ）の一点鎖線で示した水切り溝１１ｂの部分平面図に示すように、複数の排水孔１１ｂａは、水切り溝１１ｂの底部１１ｂｂから軒側壁１１ｂｃにかけて形成することが、効率よく排水するうえで好ましい。
【００２２】
さらに取付片１１には、架台３にボルト６で固定するための取付長孔１１ｃが開設してある。
【００２３】
一方、カバー片１２は取付片１１の軒側端縁部１１ａより下方に延出されており、取付片１１とは鈍角をなして傾斜した形状となっており、軒先カバー１０を太陽電池パネル２に取り付けた状態では、図４に示すように、軒側端部２ａの側端面を覆い隠すことができるような寸法、形状となっている。
【００２４】
また、カバー片１２の裏側には、補強のための補強片１２ａと、軒先カバー１０を架台３に取付固定するための取付補強具１５（図３参照）に嵌合される嵌合部１２ｂとが一体的に形成されている。なお、本例で示した補強片１２ａは軒先カバー１０に必須の要素ではないが、折れ等の損傷を防止するために備えることが望ましい。また、嵌合部１２ｂについては、取付対象である架台３への取付構造によって種々の形状のものが採用できることはいうまでもない。
【００２５】
この軒先カバー１０は、図３（ａ）、（ｂ）に示した手順で架台３に固定される。
【００２６】
すなわち、まずＣ型チャンネル形状の中空棒状体よりなる複数の架台３を屋根上に並べて固定し、それらの架台３の軒側先端部に長いす形状の軒先固定金具５を取り付ける。軒先固定金具５は、軒先カバー１０の取付片１１を載せ置くことのできる載置台５ａを備え、その載置台５ａには、架台３の中空部３ａより溝３ｂを介してボルト６で連結できる挿通孔５ａａが開設されている。
【００２７】
また、軒先固定金具５の後部には、位置決め片５ｂ（長いすの後脚とその上方に連なる背もたれに相当する部分）が形成されており、さらに位置決め片５ｂの上端には、載置台５ａとは逆方向に折曲した嵌合片５ｃが形成され、この嵌合片５ｃと、位置決め片５ｂと、架台３とにより形成される空間に太陽電池パネル２の軒側端部２ａを収容できるようになっている。さらに、この位置決め片５ｂは、軒先カバー１０の設置位置を定められるようになっている。
【００２８】
軒先カバー１０の取付片１１の取付長孔１１ｃの裏面側には、側面視倒Ｚ字形の取付補強具１５があらかじめ取り付けられており、その取付補強具１５でもって、軒先カバー１０を、架台３に固定した軒先固定金具５の載置台５ａと、架台３の先端部とにずれることなく設置できるようになっている。
【００２９】
軒先カバー１０は、正しい位置に載せ置いた後に、軒先固定金具５の挿通孔５ａａと、軒先カバー１０の取付片１１の取付長孔１１ｃとを通じて上方に突出したボルト６にナット７を螺合させることで、架台３に対して固定される。
【００３０】
このようにして取付固定した軒先カバー１０は、取付片１１が太陽電池パネル２の上面に対して略平行な状態に配され、カバー片１２の下端は屋根面１に近接した状態となり、その結果、架台３の先端部の端面、および架台３の上に設置した太陽電池パネル２の軒側端部２ａの側端面を覆い隠すこととなる。
【００３１】
本実施形態に示した軒先カバー１０は、上述したように、水切り溝１１ｂが取付片１１に形成されているため、棟側より太陽電池パネル２の上面を伝って流れてくる雨水はこの水切り溝１１ｂに入り込んで、底部に形成された複数の排水孔１１ｂａより下方に落下する（図４参照。図中の白抜き矢印は雨水の流れを示している）。
【００３２】
軒先カバー１０がこのような構造となっているため、軒先カバー１０まで流れてきた雨水が勢いよくカバー片１２を飛び越えるようなことはなく、また雨水の多くが水切り溝１１ｂの排水孔１１ｂａより流れ落ちるから、屋根面１の下流側に到達した雨水の水勢は十分に弱められる。このように、取付片１１に水切り溝１１ｂを設けた軒先カバー１０を使用することで、太陽電池パネル２の上面を流れてくる雨水が軒樋８（図１参照）を飛び越えることを防止できる。
【００３３】
なお、水切り溝１１ｂに排水孔１１ｂａを設けずに、入り込んだ雨水を横方向に流しだす構成としてもよいが、排水孔１１ｂａを設けるほうが雨水を分散して流すことができるので望ましい。
【００３４】
また、本実施形態に示した軒先カバー１０は、取付片１１とカバー片１２のなす角度を鈍角にして、カバー片１２を屋根面１に対して傾斜降下した形状としているため、水切り溝１１ｂでの排水により水勢が十分に弱まらず、雨水が取付片１１の軒側端縁部１１ａより前方に飛び出そうとした場合でも、飛び出した雨水を屋根面１に落下する前に傾斜面で受け止めることができ、それによって水勢を弱めることができる。
【００３５】
特に、図５（ａ）（ｂ）に示した軒先カバー１０のように、カバー片１２を湾曲板体で形成して軒側に膨出させたものでは、水切り溝１１ｂで水勢が十分に弱まらなかったときでも、流水を飛び出させることなくそのままカバー片１２の湾曲膨出した板面に伝わせながら屋根面１へゆっくりと落下させることができる。また、このような湾曲形状のカバー片１２によれば、その湾曲面で、軒側前方から見たときに柔らかな印象を与えることができる。なお、図５（ａ）の軒先カバー１０はカバー片１２のみが湾曲形状、図５（ｂ）の軒先カバー１０は取付片１１とカバー片１２が一体的な湾曲形状となっている。
【００３６】
また、図５（ｃ）に示した軒先カバー１０は、取付片１１とカバー片１２のなす角度が鋭角となるよう形成され、図５（ｄ）に示すように、カバー片１２が太陽電池パネル２の内方側に傾斜降下するように取り付けられるので、水切り溝１１ｂの排水孔１１ｂａから流れ落ちる雨水をカバー片１２の裏面で受け止めることができ、その結果、水勢をさらに弱めることができる。
【００３７】
なお、図５に示した３例では、軒先カバー１０の裏面の構造および取付補強具１５（図４等参照）の図示を省略している。また図５において、図２に示した軒先カバー１０と同様の構成については同一の符号を付してその説明を割愛する。
【符号の説明】
【００３８】
１      屋根面
２      太陽電池パネル
２ａ      軒側端部
１０      太陽電池パネルの軒先カバー
１１      取付片
１１ａ      軒側端縁部
１１ｂ      水切り溝
１１ｂａ      排水孔
１１ｂｂ      底部
１１ｂｃ      軒側壁
１１ｃ      取付長孔
１２      カバー片
１２ａ      補強片
１２ｂ      嵌合部
【図１】
2011208384.tif 000003
【図２】
2011208384.tif 000004
【図３】
2011208384.tif 000005
【図４】
2011208384.tif 000006
【図５】
2011208384.tif 000007